(57)【要約】【課題】戸を容易に持ち上げることができ、例えば、既設の引き戸の修理・交換を行うときの作業者の負担を軽減することができる戸持ち上げ具を提供する。【解決手段】戸持ち上げ具１は、引き戸２の底部２ａの下側に差し込まれて当該底部２ａに係止される係止部材１１と、この係止部材１１を手で引き上げるための持ち手部１２と、を備える。上記持ち手部１２は、帯状体を輪状にすることで形成されており、また、この帯状体の他端側は、輪状の部分から延長されて上記係止部材１１の連結部１１１に連結されている。上記帯状体における持ち手部１２側の箇所および上記連結部１１１に連結される側の箇所では、上記持ち手部１２の輪の大きさ調節および上記延長の長さ調節を可能にする金具(バックル)１２ａが設けられている。【選択図】図１
2018053648.tif 000002
【特許請求の範囲】
【請求項１】
戸の底部に係止される係止部材と、この係止部材に設けられた連結部に連結されており、当該係止部材を手で引き上げるための持ち手部と、を備えることを特徴とする戸持ち上げ具。
【請求項２】
請求項１に記載の戸持ち上げ具において、上記持ち手部は、柔軟性を有する部材からなることを特徴とする戸持ち上げ具。
【請求項３】
請求項２に記載の戸持ち上げ具において、上記持ち手部は、当該持ち手部をなす部材が延長された繋ぎ部を介して上記連結部に連結されていることを特徴とする戸持ち上げ具。
【請求項４】
請求項１に記載の戸持ち上げ具において、上記持ち手部は、硬質性を有する部材からなるとともに、硬質性または柔軟性を有する繋ぎ部を介して上記連結部に連結されていることを特徴とする戸持ち上げ具。
【請求項５】
請求項１〜請求項４のいずれか１項に記載の戸持ち上げ具において、上記係止部材は、上部が下部よりも上記戸の戸面から遠い位置に形成された立ち上げ部を有しており、上記上部に上記連結部が設けられていることを特徴とする戸持ち上げ具。
【請求項６】
請求項１〜請求項５のいずれか１項に記載の戸持ち上げ具において、上記連結部は、上記係止部材の本体に対し回動可能に設けられていることを特徴とする戸持ち上げ具。
【請求項７】
請求項１〜請求項６のいずれか１項に記載の戸持ち上げ具において、上記係止部材には、上記戸の車輪との接触を回避する切り欠きが形成されていることを特徴とする戸持ち上げ具。
【請求項８】
請求項１〜請求項７のいずれか１項に記載の戸持ち上げ具において、上記係止部材は、上記戸の戸面に弾性接触する弾性接触部を備えることを特徴とする戸持ち上げ具。
【発明の詳細な説明】
【技術分野】
【０００１】
この発明は、戸を持ち上げるための戸持ち上げ具に関する。
【背景技術】
【０００２】
例えば、既設の引き戸を修理・交換等する場合には、この引き戸を床面上のレールから取り外す必要がある。この引き戸の取り外しにおいては、作業者は、一方の手で引き戸の右端部を掴み、他方の手で左端部を掴み、上記引き戸を持ち上げてレールから外す作業を行う。
【０００３】
また、特許文献１には、開閉体の重たくて位置合わせが難しい吊り込み作業を一人でも簡単に行なうことができるものとして、開閉体装置および該開閉体装置に用いられる吊具装置が開示されている。
【先行技術文献】
【特許文献】
【０００４】
【特許文献１】特許第３７６４７３５号
【発明の概要】
【発明が解決しようとする課題】
【０００５】
しかしながら、上記のように、一方の手で引き戸の右端部を掴み、他方の手で左端部を掴むとき、どちらかの端側には壁が存在するため、この壁と引き戸との間の隙間に指を入れる必要がある場合が多い。このとき、上記隙間が狭いと、この隙間に十分に指を入れられないために力が入らず、しかも、引き戸が大型で重いと、上記引き戸を持ち上げてレールから外す作業が大変辛い作業となることが多い。また、指を滑らせて引き戸を落とすと、床面を傷付けてしまう恐れもある。また、上記特許文献１の技術では、上記のような課題は解決できない。
【０００６】
この発明は、上記の事情に鑑み、戸（扉、ドアを含む）を容易に持ち上げることができ、例えば、既設の引き戸の修理・交換を行うときの作業者の負担を軽減することができる戸持ち上げ具を提供することを課題とする。
【課題を解決するための手段】
【０００７】
この発明の戸持ち上げ具は、上記の課題を解決するために、戸の底部に係止される係止部材と、この係止部材に設けられた連結部に連結されており、当該係止部材を手で引き上げるための持ち手部と、を備えることを特徴とする。
【０００８】
上記の構成であれば、上記係止部材を戸の底部に係止させて、上記持ち手部を引き上げることで、上記戸を容易に持ち上げることができる。また。特に、既設の引き戸等の修理・交換を行うときでも、作業者は、壁と戸との間の隙間に指を入れる必要が無くなり、作業者の負担が軽減されることになる。また、指を滑らせて戸を落とすといったミスも生じ難い。
【０００９】
上記持ち手部は、柔軟性を有する部材からなっていてもよい。これによれば、上記戸の荷重が上記柔軟性を有する部材を介して手にかかることになり、手への局所的な荷重のかかりを抑制することができる。
【００１０】
上記持ち手部は、当該持ち手部をなす部材が延長された繋ぎ部を介して上記連結部に連結されていてもよい。これによれば、上記部材の材料以外の材料の使用を極力無くして、コスト低減を図ることができる。
【００１１】
上記持ち手部は、硬質性を有する部材からなるとともに、硬質性または柔軟性を有する繋ぎ部を介して上記連結部に連結されていてもよい。
【００１２】
上部が下部よりも上記戸の戸面から遠い位置に形成された立ち上げ部を有しており、上記上部に上記連結部が設けられていてもよい。これによれば、上記立ち上げ部の下部側で戸を的確に係止しつつ上記連結部或いはこの連結部に連結された部材が上記戸面に擦れて当該戸面を傷つけるおそれを低減することができる。
【００１３】
上記連結部は、上記係止部材の本体に対し回動可能に設けられていてもよい。これによれば、上記連結部が回動することで、上記持ち手部の操作がスムーズに行える。
【００１４】
上記係止部材には、上記戸の車輪との接触を回避する切り欠きが形成されていてもよい。これによれば、上記車輪が戸の前後端近くに存在するような場合でも、これとの干渉を避けて、上記係止部材が上記戸の底部に係合できる面積を極力大きくすることができる。
【００１５】
上記係止部材は、上記戸の戸面に弾性接触する弾性接触部を備えてもよい。これによれば、上記弾性接触部が上記戸の戸面に弾性接触するので、上記係止部材が上記戸から不用意に外れるのを防止できる。また、上記係止部と上記戸の戸面との間に隙間があるとガタツキが生じてしまうが、上記弾性接触部を備えることで、上記係止部が上記戸の戸面に当たって当該戸面を傷つけるといったことも軽減できる。
【発明の効果】
【００１６】
本発明であれば、戸（扉、ドアを含む）を容易に持ち上げることができ、例えば、既設の引き戸の修理・交換を行うときの作業者の負担を軽減することができるという効果を奏する。
【図面の簡単な説明】
【００１７】
【図１】本発明の一実施形態に係る戸持ち上げ具を示した斜視図である。
【図２】図１の戸持ち上げ具の係止部材を引き戸の底部に差し込んだ状態を示した説明図である。
【図３】図１の戸持ち上げ具を用いて引き戸を外す様子を示した説明図である。
【図４】本発明の他の実施形態に係る戸持ち上げ具を示した斜視図である。
【図５】同図（Ａ）は本発明の他の実施形態に係る戸持ち上げ具の係止部材を示した斜視図であり、同図（Ｂ）は引き戸の底部に上記係止部材を引き戸の底部に差し込んだ状態を示した説明図である。
【図６】本発明の他の実施形態に係る戸持ち上げ具の係止部材を示した斜視図である。
【図７】本発明の他の実施形態に係る戸持ち上げ具の係止部材を示した斜視図である。
【発明を実施するための形態】
【００１８】
以下、この発明の実施の形態を添付図面に基づいて説明する。
図１および図２に示しているように、この実施形態の戸持ち上げ具１は、引き戸２の底部２ａの下側に差し込まれて当該底部２ａに係止される係止部材１１と、この係止部材１１を手で引き上げるための持ち手部１２と、を備える。例えば、上記係止部材１１は、金属材料からなる一方、上記持ち手部１２は、柔軟性を有する素材による帯状体（この帯状体は、例えば、ショルダーベルト当に利用されているものでよい。）からなっている。この戸持ち上げ具１は、２個１組で用いられるが、同一物でよく、特に左右対称物でなくてもよい。
【００１９】
上記持ち手部１２は、上記帯状体を輪状にすることで形成されており、また、この帯状体の輪状の部分から延長された繋ぎ部１２１の端部が上記係止部材１１に設けられた連結部１１１に連結されている。また、上記持ち手部１２の側の帯状体の箇所および上記連結部１１１に連結される側の帯状体の箇所は、上記持ち手部１２の輪の大きさ調節および上記繋ぎ部１２１の長さ調節を可能にする金具(バックル)１２ａが設けられている。
【００２０】
上記係止部材１１は、鉤状の形状を有しており、上記引き戸２への係止状態において、上記引き戸２の底部２ａの底面に対向する水平部１１ａと、上記引き戸２の裏側の戸面に対向する裏側立ち上げ部１１ｂと、上記引き戸２の表側(作業者が位置する側)の戸面に対向する表側立ち上げ部１１ｃとを有する。また、上記係止部材１１の上記引き戸２の戸面と対向する面には、フェルト等の緩衝材１１ｄが貼付されている。
【００２１】
上記表側立ち上げ部１１ｃは、上記裏側立ち上げ部１１ｂよりも高く形成されており、下部側は上記裏側立ち上げ部１１ｂと略平行に形成されているが、上部側は上記引き戸２の戸面から遠ざかる方向に傾斜している。上記連結部１１１は、上記表側立ち上げ部１１ｃの上端側に取り付けられ、上記引き戸２の戸面から離間して位置している。また、上記連結部１１１は、上記表側立ち上げ部１１ｃの上端の傾斜面に直交して設けられた軸１１１ａによって回動可能に設けられている。上記軸１１１ａはカシメ等によって上記表側立ち上げ部１１ｃに取り付けられる。なお、上記連結部１１１は、上記のような回動連結に限らず、フックやカラビナ等による着脱可能な連結部材であってもよいし、或いは、上記表側立ち上げ部１１ｃの上端に形成された単なる開口部であってもよい。
【００２２】
上記の構成であれば、図３に示すように、上記係止部材１１を上記引き戸２の底部２ａに係止させて、上記持ち手部１２を引き上げることで、上記引き戸２を容易に持ち上げることができる。また。特に、既設の上記引き戸２の修理・交換を行うときでも、作業者は、壁３と引き戸２との間の隙間に指を入れる必要が無くなり、作業者の負担が軽減されることになる。また、指を滑らせて上記引き戸２を落とすといったミスも生じ難い。
【００２３】
上記持ち手部１２が柔軟性を有する部材（帯状体等）からなっていると、上記引き戸２の荷重が上記部材を介して手にかかることになり、局所的な荷重のかかりを抑制することができる。
【００２４】
上記持ち手部１２をなす部材（帯状体等）が延長されて上記係止部材１１の連結部１１１に連結されると、上記部材以外の材料の使用を極力無くして、コスト低減を図ることができる。
【００２５】
上部が下部よりも上記戸２の戸面から遠い位置に形成された上記表側立ち上げ部１１ｃの上記上部に上記連結部１１１が設けられていると、上記表側立ち上げ部１１ｃの下部側で戸を的確に係止しつつ上記連結部１１１或いはこの連結部１１１に連結された部材（フック等）が上記戸面に擦れて当該戸面を傷つけるおそれを低減することができる。
【００２６】
上記連結部１１１が上記係止部材１１の本体に対し回動可能に設けられていると、上記持ち手部１２が上記係止部材１１の係止位置の鉛直上に位置しない場合でも、上記連結部１１１が回動することで、上記持ち手部１２の操作がスムーズに行える。また、単に、フック掛け等による引っ掛け回転では、このフック等が上記戸の戸面に擦れるおそれがあるが、上記の回動連結であれば、このようなフック擦れの問題を生じ難くできる。
【００２７】
次に、他の実施形態の戸持ち上げ具１を図４に基づいて説明していく。この実施形態の戸持ち上げ具１の持ち手部１２Ａは、硬質性を有する素材(樹脂、金属等)によるリング状体からなる。そして、上記持ち手部１２Ａは、柔軟性を有する部材、例えば、上記帯状体、ワイヤー、紐状等によって上記係止部材１１の連結部１１１に連結されている。なお、上記連結には、上記柔軟性を有する部材に限らず、硬質性を有する素材(樹脂、金属等)の棒状体を用いることができる。
【００２８】
また、図５（Ａ）および図５（Ｂ）に示すように、上記係止部材１１の上記水平部１１ａに、上記引き戸２の車輪２１との接触を回避する切り欠き１１２が形成されていてもよい。これによれば、上記車輪２１が上記引き戸２の前後端近くに存在するような場合でも、これとの干渉を避けて、上記係止部材１１が上記引き戸２の底部に係合する面積を極力大きくすることができる。なお、このように切り欠き１１２を形成する場合には、２つの戸持ち上げ具１において、一方は右手用、他方は左手用といった対称物となる。
【００２９】
また、図６に示すように、上記係止部材１１は、上記引き戸２の戸面に弾性接触する弾性接触部１１３を備えてもよい。これによれば、弾性接触部１１３が上記引き戸２の戸面に弾性接触するので、上記係止部材１１が上記引き戸２から不用意に外れるのを防止できる。また、上記係止部材１１と上記引き戸２の戸面との間に隙間があるとガタツキが生じてしまうが、上記弾性接触部１１３を備えることで、上記係止部材１１が上記引き戸２の戸面に当たって当該戸面を傷つけるといったことも軽減できる。なお、上記弾性接触部１１３は、フェルト等の布で覆われているのがよい。
【００３０】
上記図６の例では、上記弾性接触部１１３は円弧状の板バネからなり、凸側を上記裏側立ち上げ部１１ｂの側に向けて設けられている。例えば、上記板バネの一端側は固定される一方、他端側は自由端とされる。また、この例では、上記弾性接触部１１３は、上記表側立ち上げ部１１ｃの内側面に取り付けられている。上記弾性接触部１１３を上記裏側立ち上げ部１１ｂの内側面に取り付けてもよいが、上記引き戸２の裏と壁３との間は一般的に狭いので、上記弾性接触部１１３の弾性変形範囲を小さめにする必要が生じる一方、上記弾性接触部１１３を上記表側立ち上げ部１１ｃに取り付ける場合には、このような弾性変形範囲の制限は特に生じない。
【００３１】
また、上記係止部材１１は、鉤形状（コ字形状）に限らず、図７に示すような形状を有する係止部材１１Ａであってもよい。この係止部材１１Ａにおいては、上記引き戸２の底部２ａの底面に対向する水平部１１ｅと、上記引き戸２の表側(作業者が位置する側)の戸面に対向する表側立ち上げ部１１ｆと引き戸２の端面に対向する端面立ち上げ部１１ｇとが、互いに１の角を共有するように直角配置に設けられている。そして、上記引き戸２の裏側の戸面に対向する裏側部１１ｈは上記端面立ち上げ部１１ｇから延長されて設けられている。なお、このような係止部材１１Ａを有する場合には、２つの戸持ち上げ具１において、一方は右手用、他方は左手用といった対称物となる。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１          ：戸持ち上げ具
２          ：引き戸(戸)
２ａ        ：底部
３          ：壁
１１        ：係止部材
１１ａ      ：水平部
１１ｂ      ：裏側立ち上げ部
１１ｃ      ：表側立ち上げ部
１２        ：持ち手部
１２Ａ      ：持ち手部
２１        ：車輪
１１１      ：連結部
１１２      ：切り欠き
１１３      ：弾性接触部
【図１】
2018053648.tif 000003
【図２】
2018053648.tif 000004
【図３】
2018053648.tif 000005
【図４】
2018053648.tif 000006
【図５】
2018053648.tif 000007
【図６】
2018053648.tif 000008
【図７】
2018053648.tif 000009